(57)【特許請求の範囲】
【請求項１】
コインメックに料金を投入し、投入ホッパに穀物を投入して、精白度を選択することによって、所定時間の自動精米運転を行って白米を取出すコイン精米機において、前記穀物を投入する投入ホッパの底部に供給口を設け、投入ホッパの供給口近傍位置で、投入ホッパの前側と後側の側壁には、穀物の有無を検出する穀物有無検出センサをそれぞれ設けて運転制御を行い、
投入ホッパの供給口の下方には投入ホッパの後側から前側に向かって搬送する搬送ラセンを設け、
穀物有無検出センサのいずれもが穀物を検出しないときは、搬送ラセンを一定時間逆回転又は正回転させて、投入ホッパの供給口部に穀物を盛上げることにより穀物有無検出センサの検出領域に位置させて精米運転を開始可能にすることを特徴とするコイン精米機。
【請求項２】
搬送ラセンを逆回転又は正回転しても穀物有無検出センサが穀物を検出しないときは、通常の運転を開始して精米装置に至る行程の玄米タンクにおける玄米センサの穀物検出によって料金を課金することを特徴とする請求項１に記載のコイン精米機。
【発明の詳細な説明】
【技術分野】
【０００１】
この発明は、コインメックに料金を投入し、投入ホッパに玄米を投入して、精米白度を選択することによって、所定時間の自動精米運転を行って白米を取出すことのできるコイン精米機の運転制御装置に関する。
【背景技術】
【０００２】
玄米を投入する投入ホッパにラセン樋を設けて、このラセン樋の搬送ラセンを駆動したり、この投入ホッパ底部の供給口を開閉する玄米有無センサを、この投入ホッパ内部に設置する等の技術（例えば、特許文献１参照）が知られている。
【先行技術文献】
【特許文献】
【０００３】
【特許文献１】特開２００７ー２２９５３８号公報
【発明の概要】
【発明が解決しようとする課題】
【０００４】
投入ホッパに投入する玄米や、籾等の投入量が僅かで少量であるときは、センサによる玄米や籾の投入状態を正確に検出できないことがあり、精度の高い運転制御を維持し難い。
【課題を解決するための手段】
【０００５】
請求項１記載の発明は、コインメックに料金を投入し、投入ホッパに穀物を投入して、精白度を選択することによって、所定時間の自動精米運転を行って白米を取出すコイン精米機において、前記穀物を投入する投入ホッパの底部に供給口を設け、投入ホッパの供給口近傍位置で、投入ホッパの前側と後側の側壁には、穀物の有無を検出する穀物有無検出センサをそれぞれ設けて運転制御を行い、投入ホッパの供給口の下方には投入ホッパの後側から前側に向かって搬送する搬送ラセンを設け、穀物有無検出センサのいずれもが穀物を検出しないときは、搬送ラセンを一定時間逆回転又は正回転させて、投入ホッパの供給口部に穀物を盛上げることにより穀物有無検出センサの検出領域に位置させて精米運転を開始可能にすることを特徴とする。
【０００６】
【０００７】
【０００８】
【０００９】
請求項２記載の発明は、搬送ラセン（７）を逆回転又は正回転しても前後いずれの穀物有無検出センサ（５，６）が穀物を検出しないときは、通常の運転を開始して精米装置に至る行程の玄米タンク（９）における玄米センサ（１０）の穀物検出によって料金を課金することを特徴とする請求項１に記載のコイン精米機とする。
【発明の効果】
【００１０】
請求項１に記載の発明は、投入ホッパ２に投入した穀物投入量が少ない場合でも、この投入ホッパ２の供給口３近傍には、穀物有無検出センサ５，６が前後に配置されているため、利用者による穀物投入位置が前側又は後側に偏位していても、前後何れかのセンサ５、６によって穀物の投入を的確に検出することができ、正確で円滑な精米運転を行わせることができる。
【００１１】
【００１２】
【００１３】
また、穀物有無検出センサ５，６による穀物の検出ができないときは、搬送ラセン７を一定時間逆回転又は正回転駆動させる。ラセン樋４内の穀物があるときは、この穀物を前後いずれかの穀物有無検出センサ５，６の検出領域へ盛り上らせることによって、穀物検出を確認させるもので、正確な検出を行わせることができる。
【００１４】
請求項２に記載の発明は、前記搬送ラセン７を逆転駆動しても穀物を検出しないときは、通常の運転を開始し、精米装置８に至るまでの穀物搬送行程の途中に設ける玄米タンク９の玄米センサ１０が玄米を検出することにより課金処理して、所定時間の精米運転を行い、この玄米センサ１０が玄米の搬送を検出しないときは直ちに精米運転を停止させる。
【図面の簡単な説明】
【００１５】
【図１】コイン精米機の平面配置図
【図２】精米工程を示すブロック図
【図３】操作盤の正面図
【図４】投入ホッパ部の側面図
【図５】精米制御部のブロック図
【図６】フローチャート
【図７】別実施例の投入ホッパの側面図
【発明を実施するための形態】
【００１６】
図面に基づいて、コイン精米機は、建屋式のハウス１１内に仕切壁１２を設けて、操作室１３と機械室１４とに仕切り、この仕切壁１２には、精米操作を行うための操作盤２７や、玄米又は籾等を投入するための投入ホッパ２の投入口１５、精米された白米を取出すための白米ホッパ２１の白米取出口１６等を設ける。又、前記機械室１２には、投入ホッパ２の投入口１５から投入される玄米等を受ける底部の供給口３の下方に設けるラセン樋４で供給される第一昇降機２６と、第一昇穀機２６を介して上部の穀物タンク１７へ搬送させながら、この穀物タンク１７から供給される籾米を受けて籾摺する籾摺装置１８と、前記穀物タンク１７から切替弁１９の切替えによって流下させる玄米又は籾摺装置で籾摺りされた玄米を受ける第二昇穀機２０と、玄米タンク９から供給される玄米を受けて精米する精米装置８と、更には、前記精米装置８で分離された糠をサイクロン２２や、オーガ２３等で搬送して糠袋２４に収容する糠処理装置２５等を配置する。
【００１７】
又、前記第二昇穀機２０と籾摺装置１８との間には、図示はしないが石抜や、わら屑等を選別する選別装置を配置することができる。前記籾摺装置１８を設ける形態では、前記切替弁１９の切替えによって、穀物タンク１７に搬送される籾は、籾摺装置１８へ供給して籾摺作用を行わせ、この籾摺装置１８で籾摺された玄米を玄米取出口２８から第二昇降機２０へ供給すると共に、籾殻を排塵機２９で機外へ排出させる。
【００１８】
穀物タンク１７に搬送される玄米は、切替弁１９の切替によって籾摺装置１８を迂回して第二昇穀機２０を経て玄米タンク２１へ搬送供給される。これら投入ホッパ２から穀物タンク１７への供給、及び穀物タンク１７から玄米タンク９への供給は、予め設定している一定量毎に間歇的に供給されて精米される形態である。
【００１９】
前記操作盤２７には、精米料金を投入するコインメック１や、精米白度合を選択指定する精白度選択ボタン３０を配置している。又、この操作盤２７の裏側に設けるコントロールボックスのコントローラ３２は、この入力側に、前記コインメック１の料金センサや、投入ホッパ２の穀物有無検出センサであるフロントセンサ５及びリヤセンサ６、籾と玄米とを判別する判別センサ３９，４１、又、玄米タンク９の玄米センサ１０の検出情報を入力する構成とし、出力側には、正逆回転駆動可能のラセンモータＭ１や、籾摺装置１８を駆動する籾摺モータＭ２、精米装置８を駆動する精米モータＭ３、各第一昇穀機２６、２０を駆動する昇穀モータＭ４、Ｍ５等を配置して精米制御する構成である。
【００２０】
ここにおいて、この精米運転制御装置は、コインメック１に料金を投入し、投入ホッパ２に籾又は玄米を投入して、精白度を選択することによって、所定時間の自動精米運転を行って白米を取出すコイン精米機において、前記籾又は玄米を投入する投入ホッパ２の底部に供給口３を介してのぞむラセン樋４を設け、この投入ホッパ２の供給口３近傍位置、すなわち投入ホッパ２の傾斜面の下部で、前記ラセン樋４による搬送方向の前側上部の位置には、玄米の有無を検出するフロントセンサ５を設け、後側上部の位置には玄米の有無を検出するリヤセンサ６を設けて運転制御を行う構成とする。また、投入ホッパ２の左右傾斜面の下部でラセン樋４による搬送方向の左右両側には籾と玄米とを判別する判別センサ３９，４１を設けている。
【００２１】
コイン精米機を運転するときは、コインメック１に精米料金を投入し（ステップＳ１）、袋詰等で持込玄米（籾）を投入ホッパ２へ投入することによって（Ｓ２）、この玄米（籾）が投入ホッパ２内へ投入されたことをフロントセンサ５、又はリヤセンサ６等で検出して（Ｓ４）、ラセン樋４の搬送ラセン７を回転駆動して精米装置８側へ搬送供給する。いずれのセンサ５、６においても玄米（籾）の投入されたことを検出しないときは、搬送ラセン７による繰出搬送は行われないか、又は、直ちには行われない。
【００２２】
このようなフロントセンサ５、及びリヤセンサ６は、投入ホッパ２の玄米投入位置を、ラセン樋４による搬送方向に対して前側上部と、後側上部とに、検出位置を異にして配置しているため、少量玄米の投入状態、乃至姿勢等によって、供給口３の前側上部に投入されるとフロントセンサ５によって検出され、又は後側上部に供給されるとリヤセンサ６によって検出される。このような前後何れかのセンサ５、６による検出によって、搬送螺旋７を正方向へ回転させて供給口３から繰り込まれる玄米（籾）を精米装置８側へ搬送する。
【００２３】
又、前記フロントセンサ５、及びリヤセンサ６のいずれもが玄米（籾）を検出しないときは、前記ラセン樋４の搬送ラセン７を一定時間逆回転させて、この投入ホッパ２の供給口３部に玄米を盛上げることによりこれらフロントセンサ５、又はリヤセンサ６の検出領域に位置させて精米運転を開始可能にする。
【００２４】
前記のようにフロントセンサ５、又はリヤセンサ６によって投入ホッパ２に玄米（籾）が投入されたことを検出することによって（Ｓ４）、搬送ラセン７を駆動して玄米（籾）を精米装置８側へ供給搬送する。このときフロントセンサ５、及びリヤセンサ６のいずれにおいても玄米（籾）の検出が行われないときは、この搬送ラセン７を一定時間逆回転させて（Ｓ５）、ラセン樋４内の玄米（籾）を逆送りする。この玄米（籾）の逆送りによって供給口３下に沈下していた玄米（籾）は供給口３上に押し上げられて後側上部のリヤセンサ６、又はフロントセンサ５の検出領域内に盛り上り、これらリヤセンサ６、又はフロントセンサ５によって検出される（Ｓ６）。この玄米（籾）有りの検出によって、ラセンモーＭ１を正回転して搬送ラセン７正回転させて供給口３から繰り出される玄米を精米装置８側へ搬送して精米運転させる（Ｓ７）。
【００２５】
更には、前記搬送ラセン７を逆回転しても各センサ５、６が玄米（籾）を検出しないときは、通常の運転を開始して精米装置８に至る行程の玄米タンク９における玄米センサ１０の玄米検出によって課金処理を開始する。
【００２６】
前記のように、搬送ラセン７を逆転駆動してみても、いずれのセンサ５、６も玄米（籾）を検出しないときは（Ｓ６）、通常の運転を開始して玄米を精米装置８に至る行程の玄米タンク９に搬送供給し、この玄米タンク９の玄米センサ１０で検出すると（Ｓ９）、そのまま精米装置８において精米運転を継続し（Ｓ１０）、課金処理して運転料金の引落処理を行う。
【００２７】
玄米センサ１０による検出が行われないとき（Ｓ９）、あるいは投入料金分の運転時間を経過すると（Ｓ１１）精米運転を終了する（Ｓ１２）。
次に投入ホッパ部の構成について図４と図１に基づいてさらに詳述する。
【００２８】
前記精米しようとする玄米や籾等を投入する投入口１５部には袋載台３３を設けて、投入ホッパ２への玄米投入を行い易くしている。この投入ホッパ２の上縁部には金網３４を設けて大きい異物の投入や、直接手を差込むことがでない形態としている（なお、図１においては金網３４は省略している）。この投入ホッパ２の底部に開口する供給口３は、手前側の袋載台３３下方位置から奥側のラセンモータＭ１側へ向けて狭幅で長く形成されて、この供給口３の下側に沿って搬送ラセン７を有するラセン樋４が水平状に設けられ、このラセン樋４の奥端に排出口３５を形成して、第一昇穀機２６の下端部にのぞませて、玄米の搬送供給を行わせることができる。又、このラセン樋４は供給口３の手前側端よりも長く延出させたバックスペース３６を形成して、玄米の搬送収容量を大きく維持する形態としている。
【００２９】
前記フロントセンサ５、リヤセンサ６は、この供給口３の前後方向位置における投入玄米（又は籾）の有、無を検出するもので、この投入ホッパ２の奥側壁面３７のフロントセンサ５を設け、手前側壁面３８にリヤセンサ６を設ける。しかも、これらの各センサ５，６は下端の供給口３縁部上適宜の位置、すなわち搬送ラセン７の搬送始端側と搬送終端側にそれぞれ設けることで、投入ホッパ２への玄米（籾）の投入量が少なく、投入ホッパ２の供給口３が玄米（籾）で埋まらない状態でも、いずれかのセンサ５，６に接触しやすくすることで、できるだけ少量の玄米をも検出できるように低位置に配置している。
【００３０】
又、これらフロントセンサ５とリヤセンサ６との間の左右の側壁面４０には、籾と玄米を判別する判別センサ３９と４１を設け、この判別センサ３９が投入籾であることを検出すると籾摺装置１８を駆動して籾摺を行って籾を玄米にしてから精米装置８へ供給し、玄米であることを検出すると投入玄米を精米装置８へ搬送供給して精米を行うよう運転制御する。
【００３１】
この場合、判別センサ３９が玄米の投入であることを検出することによって、搬送ラセン７を一定の時間毎間歇的に駆動させて、精米作用を間歇運転するように制御し、又、籾の投入であることを検出することによって、搬送ラセン７を連続回転させて、籾摺、及び精米作用を連続運転するように制御することも可能である。また、判別センサは左右いずれか一方でも良い。
【００３２】
フロントセンサ５とリヤセンサ６からなる穀物有無検出センサ５，６と判別センサ３９，４１はいずれも静電容量式のセンサで、検出面が投入ホッパ２の壁面から突出する構成であり、穀物が検出面に近づくと静電容量が変化し、その静電容量で穀物の有無、又は籾・玄米の判別を行なうものである。
【００３３】
穀物有無検出センサ５，６と判別センサ３９，４１を投入ホッパ２の前後左右の各側壁面の下部にそれぞれ設けることで、センサ同士が検出しあう不具合を防止し、また、投入穀物が少量の場合でも穀物の有無及び穀物の判別を確実に行なえるものである。
【００３４】
次に、主として図７に基づいて、前記投入ホッパ２の投入玄米の流れをよくするために、この手間側壁面３８等にソレノイドによる叩圧器４１を設けて、投入ホッパ２を叩くものである。この叩圧器４１の叩圧面にはゴム材、乃至樹脂材等の緩衝材を介在させて、投入ホッパ２の側面側を叩くことによって叩き騒音を小さくする。叩圧衝撃によって付着玄米等を反発放擲するため、揺動振動等による篩落し作用よりも効果的であり、短時間に処理することができる。
【符号の説明】
【００３５】
１  コインメック
２  投入ホッパ
３  供給口
４  ラセン樋
５  フロントセンサ
６  リヤセンサ
７  搬送ラセン
８  精米装置
９  玄米タンク
１０  玄米センサ
【図１】
0005668523.tif 000002
【図２】
0005668523.tif 000003
【図３】
0005668523.tif 000004
【図４】
0005668523.tif 000005
【図５】
0005668523.tif 000006
【図６】
0005668523.tif 000007
【図７】
0005668523.tif 000008